(57)【要約】      （修正有）【課題】サブマージド・アーク炉無効電力補償遠隔無線制御システムを提供する。【解決手段】本発明の制御システムは遠隔無線制御装置とサブマージド・アーク炉無効電力補償装置とを含む。遠隔無線制御装置はＭＳ−ＲＳＣＭ３０２通信状態保全モジュールとＭＳ−ＮＣ２シリアルポート切換モジュールとを含む。サブマージド・アーク炉無効電力補償装置は制御盤と自動補償コンデンサとを含む。自動補償コンデンサは複数の補償ユニットにより構成される。本発明は有線ブロードバンド、無線伝送、３Ｇ等を用いて遠隔インターネット通信によりデータ収集を行い、パソコンやスマートフォンにカスタムソフトウェアをインストールすることにより、各現場の遠隔監視とデータの読み取りを実現する。これによりサブマージド・アーク炉無効電力補償装置は実際の動作状況を遠隔管理する機能を実現し、現場の保守が煩雑、保守時間が長い等の保守の問題を解決する。【選択図】図１
2015053042.tif 000002
【特許請求の範囲】
【請求項１】
遠隔無線制御装置とサブマージド・アーク炉無効電力補償装置とを含むことを特徴とするサブマージド・アーク炉無効電力補償遠隔無線制御システム。
【請求項２】
遠隔無線制御装置にＭＳ−ＲＳＣＭ３０２通信状態保全モジュールとＭＳ−ＮＣ２シリアルポート切換モジュールとを含み、ＭＳ−ＲＳＣＭ３０２通信状態保全通信状態保全モジュールにＭＳ−３Ｇネットワーク通信モジュールを内蔵し、システム統合ソフトによりサブマージド・アーク炉遠距離無線監視データの収集および制御を実現することを特徴とする、請求項１に記載のサブマージド・アーク炉無効電力補償遠隔無線制御システム。
【請求項３】
サブマージド・アーク炉無効電力補償装置に制御盤と自動補償コンデンサとを含むことを特徴とする、請求項１に記載のサブマージド・アーク炉無効電力補償遠隔無線制御システム。
【請求項４】
制御盤がＭＳ−ＲＳＣＭ３０２通信状態保全モジュールとＭＳ−ＮＣ２シリアルポート切換モジュールとＤＶＰＥＨ２  ＰＬＣコントローラとプログラマブル多機能ネット測定器とタッチ画面により構成され、自動補償コンデンサが複数の補償ユニットにより構成されることを特徴とする、請求項３に記載のサブマージド・アーク炉無効電力補償遠隔無線制御システム。
【請求項５】
サブマージド・アーク炉無効電力補償遠隔無線制御システムにおいて、デスクトップパソコンまたはノートパソコンまたはスマートフォン端末にカスタムソフトウェアをインストールし、遠隔無線制御装置によりデスクトップパソコンまたはノートパソコンまたはスマートフォン端末と接続し、インターネット有線または無線または３Ｇネットワーク通信方式を用いて、サブマージド・アーク炉無効電力補償装置のデータ収集と受信、および制御コマンドの送信を実現することを特徴とする、請求項１に記載するサブマージド・アーク炉無効電力補償遠隔無線制御システム。
【請求項６】
制御盤にＭＳ−ＲＳＣＭ３０２通信状態保全モジュールとＭＳ−ＮＣ２シリアル変換モジュールとを含み、ＭＳ−ＲＳＣＭ３０２通信状態保全モジュールにインターネット有線、無線または３Ｇネットワーク通信方式を用いて、遠隔無線制御装置のデータ送信および制御コマンドの受信を実現し、ＭＳ−ＮＣ２シリアルポート切換モジュールをＤＶＰＥＨ２  ＰＬＣコントローラとの接続に用いて、プログラマブル多機能ネット測定器とサブマージド・アーク炉無効電力補償装置を制御することを特徴とする、請求項３に記載のサブマージド・アーク炉無効電力補償遠隔無線制御システム。
【発明の詳細な説明】
【技術分野】
【０００１】
本発明はサブマージド・アーク炉制御装置システムに関連するサブマージド・アーク炉無効電力補償遠隔無線制御システムに関するものである。
【背景技術】
【０００２】
サブマージド・アーク炉電力補償装置の既存技術は一般的に人による現場監視と運転調整が必要で、人が現場監視と運転調整を行うサブマージド・アーク炉電力補償装置は、技術者が現場で作業をして２地点間の監視と操作を行う必要があり、これに加えて完全な制御システムが開発・配備されていないため、技術者の労働時間を消耗し、作業効率が低かった。既存技術ではサブマージド・アーク炉補償装置の異常や破損部品を速やかに見つけて処理することができず、人的、物的な資源と精力の浪費が大きく、企業と社会の発展ニーズと効率要求を満たすことができなかった。
【発明の概要】
【発明が解決しようとする課題】
【０００３】
本発明が解決しようとする課題は、既存技術に存在するサブマージド・アーク炉電力補償装置の欠陥を克服するために、本発明では全く新しいサブマージド・アーク炉無効電力補償遠隔無線制御システムを提供することである。
【課題を解決するための手段】
【０００４】
本発明のサブマージド・アーク炉無効電力補償遠隔無線制御システムは、遠隔無線制御装置とサブマージド・アーク炉無効電力補償装置とを含んでいる。遠隔無線制御装置はＭＳ−ＲＳＣＭ３０２通信状態保全モジュールとＭＳ−ＮＣ２シリアルポート切換モジュールとを含み、ＭＳ−ＲＳＣＭ３０２通信状態保全モジュールはＭＳ−３Ｇネットワーク通信モジュールを内蔵しており、システム統合ソフトによりサブマージド・アーク炉遠距離無線監視データの収集と制御を実現した。サブマージド・アーク炉無効電力補償装置は制御盤と自動補償コンデンサを含んでいる。制御盤はＭＳ−ＲＳＣＭ３０２通信状態保全モジュールとＭＳ−ＮＣ２シリアルポート切換モジュールとＤＶＰＥＨ２  ＰＬＣコントローラとプログラマブル多機能ネット測定器とタッチ画面により構成され、自動補償コンデンサは複数の補償ユニットにより構成される。前記補償ユニットは、バイパスヒューズ１、変流器２、単相電力コンデンサ３、高調波フィルタ４、新型コンビネーションスイッチ５、分岐三極空気遮断器６を順に直列につないで構成され、各補償ユニットの分岐三極空気遮断器の入力端子を並列につないだ後、サブマージド・アーク炉変圧器の二次側出力端子のＡ相またはＢ相またはＣ相に接続する。バイパスヒューズの変流器を通さない一端は、サブマージド・アーク炉変圧器二次側出力端子のＸ相またはＹ相またはＺ相に接続する。
【０００５】
本発明のサブマージド・アーク炉無効電力補償遠隔無線制御システムはさらに、デスクトップパソコンまたはノートパソコンまたはスマートフォン端末にカスタムソフトウェアをインストールし、遠隔無線制御装置によりデスクトップパソコンまたはノートパソコンまたはスマートフォン端末とつなぎ、インターネット有線または無線または３Ｇネットワーク伝送方式を用いて、サブマージド・アーク炉無効電力補償装置データの収集と受信、および制御コマンドの送信を実現した。
【０００６】
本発明のサブマージド・アーク炉無効電力補償遠隔無線制御システムはさらに、サブマージド・アーク炉無効電力補償装置の制御盤にＭＳ−ＲＳＣＭ３０２通信状態保全モジュールとＭＳ−ＮＣ２シリアルポート切換モジュールとを取付け、ＭＳ−ＲＳＣＭ３０２通信状態保全モジュールにインターネット有線または無線または３Ｇネットワーク通信方式を採用して、遠隔無線制御装置のデータ送信と制御コマンドの受信を実現し、ＭＳ−ＮＣ２シリアルポート切換モジュールをＤＶＰＥＨ  ２ＰＬＣコントローラとの接続に用いてプログラマブル多機能ネット測定器とサブマージド・アーク炉無効電力補償装置を制御した。
【０００７】
既存技術と比べ、本発明のサブマージド・アーク炉無効電力補償遠隔無線制御システムはシステム統合ソフト、遠隔無線監視技術、可視化技術、無線ネットワーク伝送技術および工業自動化制御（ＰＬＣ）システムを組み合わせ、監視対象に遠距離無線監視と制御を行うことができ、労働安全のための設備遠隔操作保障センターを構築して、企業の各支社、工場の各種設備データを収集し、集中監視し、遠隔管理する等の需要を満たし、現場の保守が煩雑、保守時間が長い、ユーザーに不必要な運転保守の負担がかかる等の問題を解決した。
【図面の簡単な説明】
【０００８】
【図１】図１は本発明のサブマージド・アーク炉無効電力補償遠隔無線制御システムの構造略図である。
【図２】図２は本発明のサブマージド・アーク炉無効電力補償遠隔無線制御システムにおける通信状態保全モジュールＭＳ−ＲＳＣＭ３０２の電気回路図である。
【図３】図３は本発明のサブマージド・アーク炉無効電力補償遠隔無線制御システムにおけるＭＳ−３Ｇネットワーク通信モジュールの電気回路図である。
【図４】図４は本発明のサブマージド・アーク炉無効電力補償遠隔無線制御システムにおけるＭＳ−ＮＣ２シリアルポート切換モジュールの電気回路図である。
【図５】図５は本発明のサブマージド・アーク炉無効電力補償遠隔無線制御システムにおけるＤＶＰＥＨ２  ＰＬＣコントローラの電気回路図である。
【図６】図６は本発明のサブマージド・アーク炉無効電力補償遠隔無線制御システムにおけるプログラマブル多機能ネット測定器の電気回路原理図である。
【図７】図７は本発明のサブマージド・アーク炉無効電力補償遠隔無線制御システムにおける自動補償コンデンサユニットの電気回路原理図である。
【図８】図８は本発明のサブマージド・アーク炉無効電力補償遠隔無線制御システムにおけるサブマージド・アーク炉無効電力補償装置の配置略図である。
【発明を実施するための形態】
【０００９】
添付の図面と実施例を使って以下にさらに本発明について説明する。
【００１０】
図１は本発明のサブマージド・アーク炉無効電力補償遠隔無線制御システムの構造略図である。遠隔無線制御装置によりデスクトップパソコンまたはノートパソコンまたはスマートフォン端末と有線または無線接続し、デスクトップパソコンまたはノートパソコンまたはスマートフォン端末上のカスタムプログラムを利用してインターネット遠隔無線通信でサブマージド・アーク炉無効電力補償装置を制御し、リアルタイム監視、データ収集、自動制御、データの分析および処理、システム運転診断を実施し、オンラインで検査と自動調節を行い、最適な制御プランを自動的に生成して、選択できるようにオペレータに提供する。
【００１１】
図２のＭＳ−ＲＳＣＭ３０２通信状態保全モジュールは、ＡＲＭ７  ＳＥＣ  Ｓ３Ｃ４５１０Ｂ０１チップを主制御チップに採用し、１０／１００Ｍｂｉｔ／ｓを４個持つＲＪ−４５汎用イーサネット（登録商標）データ交換制御インターフェースを配備し、内蔵したＭＳ−３Ｇネットワーク通信モジュールを３Ｇ通信回線としてデータ通信に用い、カスタマイズされた機能コマンドの収集と送信を行う。
【００１２】
図３は本発明のサブマージド・アーク炉無効電力補償遠隔無線制御システムにおけるＭＳ−３Ｇネットワーク通信モジュールの電気回路図であり、当該モジュールの回路設計はＷ−ＣＤＭＡ、ＣＤＭＡ２０００、ＴＤ−ＳＣＤＭＡの三種類の方式の３Ｇ無線ネットワークに接続でき、通常のネットワーク通信を行えない場合に３Ｇ無線ネットワーク通信接続を採用してネットワーク通信を行い、カスタマイズされた機能コマンドを実行する。
【００１３】
図４は本発明のサブマージド・アーク炉無効電力補償遠隔無線制御システムにおけるＭＳ−ＮＣ２シリアルポート切換モジュールであり、当該シリアルポート切換モジュールによりＭＳ−ＲＳＣＭ３０２通信状態保全モジュールとＤＶＰＥＨ２  ＰＬＣコントローラの回線とをつなぎ、データ交換を実現する。
【００１４】
図５は本発明のサブマージド・アーク炉無効電力補償遠隔無線制御システムにおけるＤＶＰＥＨ２  ＰＬＣコントローラの原理図である。当該コントローラの電気回路はＣＰＵチップにＰＬＣ２２９０ＦＢＤ１４４チップを、メモリにＭＣＭ６２５６チップを採用し、Ｉ／Ｏ拡張インターフェースと出力／入力インターフェースと上位機外部機器インターフェースとを配備している。前記コントローラによりＭＳ−ＮＣ２シリアルポート切換モジュールとプログラマブル多機能ネット測定器の回線をつなぎ、データ交換を実現する。
【００１５】
図６は本発明のサブマージド・アーク炉無効電力補償遠隔無線制御システムにおけるプログラマブル多機能ネット測定器の電気回路原理図である。当該測定器は、主制御信号処理チップにＡＴＴ７０２２ＢＵチップを採用し、電流電圧信号収集回路、電気パルス出力回路、スイッチング出力回路、スイッチング入力回路、メモリチップ、キーボードおよび４８５通信回線インターフェースを搭載しており、これをサブマージド・アーク炉自動補償コンデンサと接続して、サブマージド・アーク炉動作状態全体のデータの監視、収集および制御コマンドの伝送を実現した。
【００１６】
図７のように、バイパスヒューズ１の入力端子をサブマージド・アーク炉変圧器の二次側出力端子Ｘ相またはＹ相またはＺ相につなぎ、バイパスヒューズ１の出力端子を、変流器２をはさんで単相電力コンデンサ３の端子につなぎ、単相電力コンデンサ３のもう一方の端子を高調波フィルタ４の端子に直列につなぎ、高調波フィルタ４のもう一方の端子を新型コンビネーションスイッチ５の端子と直列につなぎ、新型コンビネーションスイッチ５のもう一方の端子を分岐三極空気遮断器６の出力端子に直列につなぎ、分岐三極空気遮断器の入力端子を複数の補償ユニットの分岐三極空気遮断器の入力端子と並列につないだ後、サブマージド・アーク炉変圧器の二次側出力端子のＡ相またはＢ相またはＣ相に接続する。
【００１７】
図８のように、サブマージド・アーク炉変圧器８の二次側低電圧出力端子のＡ相、Ｂ相、Ｃ相とＸ相、Ｙ相、Ｚ相を、放熱を助ける、内部に流動冷却液を注入した銅管を用いて、それぞれＡ相の自動補償コンデンサ三台８、９、１０およびＢ相の自動補償コンデンサ三台１８、１９、２０およびＣ相の自動補償コンデンサ三台１５、１６、１７の入力端子につなぎ、Ａ相、Ｂ相、Ｃ相の自動補償コンデンサの出力端子をそれぞれサブマージド・アーク炉１４の三つの電極（１♯電極１１、２♯電極１２、３♯電極１３）につなぐ。制御盤７の二次側制御回路は、それぞれ自動補償コンデンサとつなぐ。
【００１８】
本発明のサブマージド・アーク炉無効電力補償遠隔無線制御システムは、有線ブロードバンドＡＤＳＬ、無線伝送、３Ｇ等のネットワーク接続方式を用いて遠隔インターネット通信とデータ収集を行い、デスクトップパソコン、ノートパソコン、タブレット、スマートフォン端末にカスタムソフトウェアをインストールして、各現場の遠隔オンライン監視、関連製造データの読み取りを実現し、これによりサブマージド・アーク炉無効電力補償装置の電力供給状況とサブマージド・アーク炉の実際の動作状況の遠隔無線監視、制御または管理機能を実現した。操作が簡単で、操作効率が上がり、保守に便利で、操作の自由度が高まったことにより、現場の保守が煩雑で、保守時間が長く、ユーザーに不必要な運転保守の負担がかかる問題が解決した。
【図１】
2015053042.tif 000003
【図２】
2015053042.tif 000004
【図３】
2015053042.tif 000005
【図４】
2015053042.tif 000006
【図５】
2015053042.tif 000007
【図６】
2015053042.tif 000008
【図７】
2015053042.tif 000009
【図８】
2015053042.tif 000010